【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
直列接続された複数の電気二重層コンデンサと、該複数の電気二重層コンデンサの各々に並列接続され各電気二重層コンデンサを放電させる複数の電流制御手段と、前記複数の電気二重層コンデンサの各々の端子間電圧を第１の設定電圧と比較する複数の電圧比較手段と、該複数の電圧比較手段の比較出力に基づいて前記端子間電圧が前記第１の設定電圧を超えた前記電気二重層コンデンサに対応する電流制御手段を制御して各電気二重層コンデンサの端子間電圧を揃えるようにする制御手段とを有する電気二重層コンデンサ装置であって、
前記制御手段は、前記複数の電気二重層コンデンサの充電時は前記複数の電流制御手段の制御動作を停止させることを特徴とする電気二重層コンデンサ装置。
【請求項２】
前記制御手段は、前記複数の電気二重層コンデンサの充電中に前記複数の電気二重層コンデンサのいずれかの電気二重層コンデンサの端子間電圧が前記第１の設定電圧より大きい第２の設定電圧に達した際に、前記複数の電気二重層コンデンサの充電を停止させ、該複数の電気二重層コンデンサを放電可能状態とするように前記複数の電流制御手段を制御することを特徴とする請求項１に記載の電気二重層コンデンサ装置。
【手続補正２】
【補正対象書類名】明細書
【補正対象項目名】００１１
【補正方法】変更
【補正の内容】
【００１１】
【課題を解決するための手段】
上記目的を達成するために、請求項１に記載の発明は、直列接続された複数の電気二重層コンデンサ（１０−１、１０−２、…）と、該複数の電気二重層コンデンサの各々に並列接続され各電気二重層コンデンサを放電させる複数の電流制御手段（１２−１、１２−２、…）と、前記複数の電気二重層コンデンサの各々の端子間電圧を第１の設定電圧と比較する複数の電圧比較手段（１６−１、１６−２、…）と、該複数の電圧比較手段の比較出力に基づいて前記端子間電圧が前記第１の設定電圧を超えた前記電気二重層コンデンサに対応する電流制御手段を制御して各電気二重層コンデンサの端子間電圧を揃えるようにする制御手段（３０）とを有する電気二重層コンデンサ装置であって、前記制御手段は、前記複数の電気二重層コンデンサの充電時は前記複数の電流制御手段の制御動作を停止させることを特徴とする。


【手続補正３】
【補正対象書類名】明細書
【補正対象項目名】００１２
【補正方法】変更
【補正の内容】
【００１２】
請求項１に記載の電気二重層コンデンサ装置によれば、制御手段により、複数の電圧比較手段の比較出力に基づいて前記端子間電圧が前記第１の設定電圧を超えた前記電気二重層コンデンサに対応する電流制御手段を制御して直列接続された複数の電気二重層コンデンサの各々の端子間電圧を揃えるように制御する際に、前記複数の電気二重層コンデンサの充電時には前記複数の電流制御手段の制御動作を停止させるようにしたので、直列接続された複数の電気二重層コンデンサの端子間電圧のバランスを得るに際し、充電時にバイパスさせることに起因する無駄な電力損失の発生を防止できる。
また、請求項１に記載の電気二重層コンデンサ装置によれば、電気二重層コンデンサから電流をバイパスさせる際にバイパス用のトランジスタに流れる電流量を低減することによりバイパス用のトランジスタに安価なものを使用でき、安価な電気二重層コンデンサ装置が得られる。


【手続補正４】
【補正対象書類名】明細書
【補正対象項目名】００１３
【補正方法】変更
【補正の内容】
【００１３】
また、請求項２に記載の発明は、請求項１に記載の電気二重層コンデンサ装置において、制御手段（３０）は、前記複数の電気二重層コンデンサ（１０−１、１０−２、…）の充電中に前記複数の電気二重層コンデンサのいずれかの電気二重層コンデンサの端子間電圧が前記第１の設定電圧より大きい第２の設定電圧に達した際に、前記複数の電気二重層コンデンサの充電を停止させ、該複数の電気二重層コンデンサを放電可能状態とするように前記複数の電流制御手段を制御することを特徴とする。


【手続補正５】
【補正対象書類名】明細書
【補正対象項目名】００１４
【補正方法】変更
【補正の内容】
【００１４】
請求項２に記載の電気二重層コンデンサ装置によれば、制御手段は、前記複数の電気二重層コンデンサの充電中に前記複数の電気二重層コンデンサのいずれかの電気二重層コンデンサの端子間電圧が前記第１の設定電圧より大きい第２の設定電圧に達した際に、前記複数の電気二重層コンデンサの充電を停止させ、該複数の電気二重層コンデンサを放電可能状態とするように制御するようにしたので、請求項１に記載の発明により得られる効果に加えて、電気二重層コンデンサの端子間に過電圧以上のレベルの電圧が印加されることによる電気二重層コンデンサの破損を防止することができる。


【手続補正６】
【補正対象書類名】明細書
【補正対象項目名】００２７
【補正方法】変更
【補正の内容】
【００２７】
また、ステップ１０５の判定が肯定された場合、すなわち端子間電圧ＶCがＶC≧ＶREF2となった電気二重層コンデンサがあると判定された場合には、該当する電気二重層コンデンサ、例えば、電気二重層コンデンサ１０−１の端子間電圧ＶCがＶC≧ＶREF2となったとすると、電気二重層コンデンサ１０−１に対応して設けられた電圧比較部２２−１から過電圧検知信号がフォトカプラ２４−１を介してコントローラ３０に出力され、コントローラ３０はＶC≧ＶREF2となった、すなわち端子間電圧が過電圧領域に達した電気二重層コンデンサがあることを認識し、各電気二重層コンデンサ１０−１、１０−２、…に対し充電を行っている図示してない充電部に対し充電動作を停止させるための制御信号（充電停止信号）を出力する（ステップ１０６）。


【手続補正７】
【補正対象書類名】明細書
【補正対象項目名】００３７
【補正方法】変更
【補正の内容】
【００３７】
さらに、本発明の実施の形態に係る電気二重層コンデンサ装置によれば、複数の電気二重層コンデンサのいずれかの電気二重層コンデンサの端子間電圧が設定電圧（過電圧）に達した際に、前記複数の電気二重層コンデンサの充電を停止させ、該複数の電気二重層コンデンサを放電可能状態に制御するようにしたので、電気二重層コンデンサの端子間に過電圧以上のレベルの電圧が印加されることによる電気二重層コンデンサの破損を防止することができる。


【手続補正８】
【補正対象書類名】明細書
【補正対象項目名】００３８
【補正方法】変更
【補正の内容】
【００３８】
【発明の効果】
請求項１に記載の電気二重層コンデンサ装置によれば、制御手段により、複数の電圧比較手段の比較出力に基づいて前記端子間電圧が前記第１の設定電圧を超えた前記電気二重層コンデンサに対応する電流制御手段を制御して直列接続された複数の電気二重層コンデンサの各々の端子間電圧を揃えるように制御する際に、前記複数の電気二重層コンデンサの充電時には前記複数の電流制御手段の制御動作を停止させるようにしたので、直列接続された複数の電気二重層コンデンサの端子間電圧のバランスを得るに際し、充電時にバイパスさせることに起因する無駄な電力損失の発生を防止できる。


【手続補正９】
【補正対象書類名】明細書
【補正対象項目名】００４０
【補正方法】変更
【補正の内容】
【００４０】
請求項２に記載の電気二重層コンデンサ装置によれば、請求項１に記載の電気二重層コンデンサ装置において、制御手段は、前記複数の電気二重層コンデンサの充電中に前記複数の電気二重層コンデンサのいずれかの電気二重層コンデンサの端子間電圧が前記第１の設定電圧より大きい第２の設定電圧に達した際に、前記複数の電気二重層コンデンサの充電を停止させ、該複数の電気二重層コンデンサを放電可能状態とするように制御するようにしたので、請求項１に記載の発明により得られる効果に加えて、電気二重層コンデンサの端子間に過電圧以上のレベルの電圧が印加されることによる電気二重層コンデンサの破損を防止することができる。